(57)【要約】      （修正有）【課題】身体を回転し、使用者の腹部筋肉を鍛錬できるフィットネス器材を提供する。【解決手段】フィットネス器材１００は、ベースフレーム１４９を備え、床面における支持を提供し、組立て部材はサポートフレームにおいて回転状に設置され、バックレスト構成部材は少なくとも１個の回転コネクターを移動可能式に利用し、組立て部材と連接し、これによりベースフレーム１４９に沿って回転移動でき、ハンドル構成部材はバックレスト構成部材に調整可能状に固定し、これにより使用者はイスクッション１０１上に腰掛け、バックレストクッション１０３を通して回転移動を行うことができる。【選択図】図１
0003191279.tif 000002
【実用新案登録請求の範囲】
【請求項１】
フィットネス器材は、ベースフレーム、組立て部材、バックレスト構成部材、ハンドル構成部材を備え、
前記ベースフレームは、床面におけるサポートを提供し、イスクッションは、前記ベースフレームの前後フレームの間に設置し、
前記組立て部材は、後ベースフレームに回転可能状に設置し、前記組立て部材は、１個或いは多数の回転コネクターを備え、その内少なくとも２個は、回転軸において回転する回転構造で、これにより回転コネクターは、同時に少なくとも２個の軸心により回転運動を行い、
前記バックレスト構成部材は、１個或いは多数の回転コネクターを通して、前記組立て部材に連接し、これにより前記ベースフレームに対して回転移動が可能で、前記バックレスト構成部材は、バックレストクッションを備え、その後の支持構造に固定し、前記バックレストクッションは、前端と後端を備え、
前記バックレストを支える構造体は、回転コネクターの前端とつながり、前記バックレストに回転移動を提供し、
前記ハンドル構成部材は、前記バックレスト構成部材上に調整可能状に固定し、これにより使用者は、前記バックレストクッション構成部材を通して、イスクッション上で、回転移動が可能であることを特徴とするフィットネス器材。
【請求項２】
前記回転運動は、水平を軸心とした上下回転と縦軸を軸心とした左右回転を含むことを特徴とする請求項１に記載のフィットネス器材。
【請求項３】
前記回転コネクターの後回転コネクターとバックレスト構成部材のレバーは、前記レバーの前端により、後回転コネクターに回転可能状に連接し、前記レバーの後端は、前記バックレスト支持構造を押上げ、しかも前記レバーの後端は、前記バックレスト支持構造に沿って移動し、水平軸の回転移動を生じることを特徴とする請求項２に記載のフィットネス器材。
【請求項４】
前記バックレスト支持構造は、レール棒を備え、及びキャスターを後端に固定するレバーを備え、レール棒に沿って移動することができることを特徴とする請求項３に記載のフィットネス器材。
【請求項５】
前記バックレスト支持構造は、ガイド棒、及びスリーブベアリングを後端に固定するレバーを備え、ガイド棒に沿って移動することができることを特徴とする請求項３に記載のフィットネス器材。
【請求項６】
前記ハンドル構成部材は、ハンドルバーを備え、レバーの後シャフトジョイントに、回転可能状に水平に固定することを特徴とする請求項３に記載のフィットネス器材。
【請求項７】
前記バックレスト構成部材は、ピボットを備え、レバーの後端に取外し可能状に固定し、前記ピボットは、組立て部材の後回転コネクターに回転状に連接し、前記ハンドルバーは、ピボットの末端に調整式に固定し、これにより前記ハンドルバーと前記バックレストクッションに各自の関連角度を提供することを特徴とする請求項６に記載のフィットネス器材。
【請求項８】
前記バックレスト支持構造は、１個或いは多数のプーリーと相互に連接し、
前記ハンドル構成部材は、ハンドプル紐を備えるハンドルバーを備え、前記ハンドプル紐は、プーリーを通して移動でき、前記各ハンドプル紐は、レバーに固定し、前記レバーが、前記ハンドルバーを通して低擁する引力は、前記ハンドプル紐クッションを引くことができることを特徴とする請求項３に記載のフィットネス器材。
【請求項９】
前記ハンドル構成部材のハンドルバーは、前記バックレスト支持構造の後端に調整可能状に水平に固定することを特徴とする請求項２に記載のフィットネス器材。
【請求項１０】
前記ハンドル構成部材は、前記バックレストクッション前方に設置するハンドプル紐を備え、前記ハンドプル紐は、前記バックレスト支持構造に、調整可能状に固定することを特徴とする請求項２に記載のフィットネス器材。
【請求項１１】
前記フィットネス器材はさらに、調整可能なコントロール構造を備え、回転運動を制限し、
前記調整可能なコントロール構造は、前記組立て部材に調整可能状に固定する高度制御部品を備え、これにより前記バックレストクッション後端に高度停止の支持を提供することを特徴とする請求項１に記載のフィットネス器材。
【請求項１２】
前記調整可能なコントロール構造はさらに、定位棒を備え、１個の回転軸方向の回転を制限することを特徴とする請求項１１に記載のフィットネス器材。
【請求項１３】
前記組立て部材は、上螺孔を備え、
前記ベースフレームは、下螺孔を備え、
前記定位棒を、前記上、下螺孔に挿入し、前記イスクッションと前記バックレストクッションの対応回転位置をロックすることを特徴とする請求項１２に記載のフィットネス器材。
【請求項１４】
前記組立て部材は、位置螺接構造を備え、
前記高度制御部品は、高端と低端を備える定位棒を備え、前記定位棒は、低端を利用し、前記位置螺接構造上に回転状に固定し、高端は高度を調整でき、相対回転位置に対応し、これにより前記バックレストクッション停止時の高度のサポートを提供することを特徴とする請求項１１に記載のフィットネス器材。
【請求項１５】
前記位置螺接構造は、挿入設置位置を調整可能な周縁間隔孔を備え、
前記高度制御部品は、挿入棒を、その内の１個の孔に挿入し、前記定位棒と前記位置螺接構造を定位することを特徴とする請求項１４に記載のフィットネス器材。
【請求項１６】
前記少なくとも２個の回転構造は、水平回転構造を備え、その上には、突出棒と中心開口が上向きの接合構造を備え、
前記接合構造は、前記ベースフレーム上に固定し、
前記突出棒は延伸して、中心開口に進入し、
これにより、前記組立て部材は、前記ベースフレーム上において、左右に回転できることを特徴とする請求項１に記載のフィットネス器材。
【請求項１７】
フィットネス器材は、ベースフレーム、回転フレーム、ハンドル構成部材を備え、
前記ベースフレームは、床面における支持を提供し、前記ベースフレームは、縦軸において前側と後側に分かれ、イスクッションは、前記ベースフレームの頂点部に固定し、
前記回転フレームは、前記後ベースフレーム上に設置し、バックレスト構成部材、組立て部材、ハンドル構成部材を備え、前記バックレスト構成部材は、前記ベースフレーム上において回転移動が可能で、
前記バックレスト構成部材は、バックレスト支持構造に固定するバックレストクッションを備え、前記バックレスト支持構造は、前記組立て部材において回転状に連接し、
前記組立て部材は、少なくとも１個の回転連結を備え、前記回転連結は、回転コネクターを備え、前記ベースフレームは、前記回転コネクターを通して、前記組立て部材と接合し、これによりイスクッションとバックレストクッションの縦方向角度は回転可能で、
前記ハンドル構成部材は、前記バックレスト支持構造に固定し、使用者の押し引きする力は、前記バックレストクッションを回転移動させられ、
前記バックレストクッションが回転移動する時、その角度の関係で使用者はツイスト効果を生じることを特徴とするフィットネス器材。
【考案の詳細な説明】
【技術分野】
【０００１】
本考案はフィットネス器材に関し、特に身体を回転し、使用者の腹部筋肉を鍛錬できるフィットネス器材に関する。
【背景技術】
【０００２】
本考案は２０１３年６月１０日に申請した特許文献１(腹部フィットネス器材)の改良である。
特許文献１は、２０１３年３月１２日に申請した特許文献２(腹部フィットネス器材)の改良である。    
本考案は、上記した２案を、引用する。
【０００３】
健康問題の多くは、運動不足が原因だとたくさんの人が認識している。
そのため、運動器材は流行し、その市場は安定して成長している。
典型的な運動器材の多くは、腹部鍛錬など身体の特定の部分に集中し、腹部筋肉の鍛錬を目的としている。
【０００４】
従来の腹部鍛錬器材は、座った姿勢の変化を基礎として設計されている。
効果的な腹部鍛錬器材は、腰部、足部などの身体の異なる部位の筋肉を一緒に活動させるべきである。
そのため、従来のフィットネス器材でも、身体のさまざまな部位を鍛錬するものも見られ始めたが、これら多用途のフィットネス器材は重く高価である。
【０００５】
さらに、これら運動器材では通常は、使用者は単一のストレッチしか行うことができない。
よって、従来の腹部鍛錬器材の使用者が、多種の部位の筋肉のストレッチを行おうとすれば、不経済である。
本考案は、従来のフィットネス器材の上記した欠点に鑑みてなされたものである。
【先行技術文献】
【特許文献】
【０００６】
【特許文献１】米国特許申請１３/９１４，５２２号
【特許文献２】米国特許申請１３/７９７，３９３号
【考案の概要】
【考案が解決しようとする課題】
【０００７】
本考案が解決しようとする課題は、身体をひねることで、腹部筋肉を鍛錬できる、ツイスト可能な回転運動器材などのフィットネス器材を提供することである。
【課題を解決するための手段】
【０００８】
上記課題を解決するため、本考案は下記のフィットネス器材を提供する。
フィットネス器材は、身体を回転ツイストさせることで腹部の筋肉を鍛錬できるツイスト可能な回転フィットネスマシンなどで、
床面における支持を提供するベースフレームを備え、
組立て部材はベースフレーム上に回転状に設置され、
バックレスト構成部材は、１個或いは多数の回転コネクターを通して、該組立て部材に連接し、これにより該ベースフレームに対して回転移動でき、
ハンドル構成部材は、該バックレスト構成部材に調整可能状に固定し、これにより使用者はイスクッション上に腰掛け、バックレスト構成部材を通して回転移動を行うことができ、
該ベースフレームは、前後フレーム間にイスクッションを設置し、
該組立て部材は、回転コネクターを備え、少なくとも１個の回転コネクターは、ピボットにおいて回転可能な回転構造で、該回転コネクターにより、少なくとも１個のピボットは同時に回転移動し、
該バックレスト構成部材は、バックレストクッション、及びその後ろに固定する支持構造を備え、該バックレストクッションは、前端と後端を備え、該バックレストクッションを支持する構造は、該回転コネクターの前端と連接し、該バックレストに回転移動を提供することができる。
【考案の効果】
【０００９】
本考案のフィットネス器材は、身体を回転し、使用者の腹部筋肉を鍛錬できる。
【図面の簡単な説明】
【００１０】
【図１】本考案フィットネス器材の実施形態立体図である。
【図２】本考案フィットネス器材の実施形態立体分解図である。
【図３Ａ】本考案第一実施形態の模式図である。
【図３Ｂ】本考案第一実施形態の模式図である。
【図３Ｃ】本考案第一実施形態の模式図である。
【図４Ａ】本考案第二実施形態の模式図である。
【図４Ｂ】本考案第二実施形態の模式図である。
【図５Ａ】本考案第三実施形態の模式図である。
【図５Ｂ】本考案第三実施形態の模式図である。
【図６Ａ】本考案第四実施形態の模式図である。
【図６Ｂ】本考案第四実施形態の模式図である。
【図６Ｃ】本考案第四実施形態の模式図である。
【図７】本考案第一使用実施形態の立体模式図である。
【図８】本考案第二使用実施形態の立体模式図である。
【図９】本考案第三使用実施形態の立体模式図である。
【考案を実施するための形態】
【００１１】
以下に図面を参照しながら本考案を実施するための最良の形態について詳細に説明する。
以下の図面に関する説明においては、外観、構成部材名称、構成部材間の連接など具体的なディテールを記載するが、本考案が属する領域の技術人員は、これら特定の詳細な描写がなくとも実施可能である。
本考案は、公知の構成部材或いは方法について、不要な混乱を回避するため、詳細な説明を行わない。
さらに、図１、２、３などの実施形態は、異なる描写と見なすべきであるため、記載される具体的なディテールは、一実施形態にすぎず、簡易な修正や変化もすべて、本考案の構想と範囲に含まれる。
【００１２】
説明中の一実施形態とは、実施形態における特別な特徴、構造、特性を示す。
実施形態において、構成部材の各部分の説明は、相同の実施形態を追及する必要はない。
【００１３】
本考案フィットネス器材の実施形態立体図である図１に示すように、フィットネス器材１００は、回転フレーム１４７を備え、ベースフレーム１４９上に、回転可能状に設置する。
これにより、回転フレーム１４７は、設置位置において、回転或いはツイストすることができ、使用者は上下左右にツイストするなど多種の回転ツイスト運動を行うことができる。
【００１４】
ベースフレーム１４９は、回転フレーム１４７が移動時に、床面で支える。
実施形態においては、ベースフレーム１４９は前側と後側に分かれる。
イスクッション１０１は、ベースフレーム１４９の頂点部に固定し、しかもベースフレーム１４９の前後の間に位置する。
【００１５】
イスクッション１０１は、昇降させられ、使用者をフィットネス器材１００上で支えることができる。
ベースフレーム１４９は、前側に位置する前サポートフレーム１２１、後側に位置する後サポートフレーム１２３を備える。
ベースフレーム１４９は、高さを調整できるため、使用者はイスクッション１０１に座っている時、足に適した高さに調整できる。
例えば、前サポートフレーム１２１は、比較的低くし、使用者がイスクッション１０１に座り運動する時には、両足は床面に接する。
別に、取外し式の足サポートフレームを、前サポートフレーム１２１上に固定することもできる。
【００１６】
回転フレーム１４７は、組立て部材１２９(図２参照)を備え、回転式にベースフレーム１４９に設置する後サポートフレーム１２３上(或いはベースフレーム１４９の後端)に設置する。
これにより、回転フレーム１４７は、縦方向に延伸し(揃えるなど)、或いはベースフレーム１４９の縦方向と一定の角度関係を構成する。
組立て部材１２９は、１個或いは多数の回転コネクターを備える。
各回転コネクターは、少なくとも１個の回転軸のサポートを可動状に提供し、回転可能な回転コネクターは、２個以上の回転軸に関連する回転構造(ピボット或いは回転棒など)を備え、回転軸を支えて回転させる。
【００１７】
例えば、組立て部材１２９は、前回転コネクター１０５と後回転コネクター１０９を備え、回転フレーム１４７に回転移動を提供する。
前回転コネクター１０５は、回転可能なシャフトジョイントで、これにより回転フレーム１４７は、上下、左右に回転することができる。
よって、フィットネス器材１００の使用者は、ベースフレーム１４９のイスクッション１０１上に座り、フィットネス運動を行うことができ、回転フレーム１４７の回転運動を利用して、上半身を湾曲、或いはツイストすることができる。
【００１８】
実施形態では、回転フレーム１４７は、バックレスト構成部材を備え、前回転コネクター１０５、後回転コネクター１０９上などの組立て部材１２９に回転式に連結する。
バックレスト構成部材は、ベースフレーム１４９の縦方向に沿って、回転運動を行うことができる。
回転運動は、同時回転、或いは少なくとも２個の軸を中心とした上下(垂直)或いは左右(平行)回転を含む。
【００１９】
バックレスト構成部材は、バックレストサポート構造と、その上に固定するバックレストクッション１０３を備える。
バックレストクッション１０３は、前後端を備える。
バックレストサポート構造は、回転式にシャフトジョイントを利用し、バックレストクッション１０３の前端において、組立て部材１２９と連接する。
これにより、バックレストクッション１０３の回転移動を支持することができる。
実施形態では、バックレストサポート構造は、レバー１１３を備え、後回転コネクター１０９を利用し、組立て部材１２９と回転連接し、上下の回転移動を提供する。
バックレストクッション１０３は、使用者がイスクッション１０１に座り、回転フレーム１４７を利用して、湾曲或いはツイストを行う時の背面部にサポートを提供する。
【００２０】
実施形態では、押す/引く力を、バックレストクッション１０３と回転フレーム１４７のレバー１１３を通して加える。
例えば、レバー１１３の上端は、バックレストクッション１０３の上端に相対し、後回転コネクター１０９を利用し、組立て部材１２９と相互に連接する。
レバー１１３は、後回転コネクター１０９により回転し、レバー１１３の後端(或いは上端)を通して、バックレストクッション１０３を押し、或いは引く。
【００２１】
回転フレーム１４７は、バックレストサポート構造に固定するハンドル構成部材を備える。
これにより、使用者は、引いて、回転フレーム１４７或いはバックレストクッション１０３の回転移動を行う。
例えば、ハンドル構成部材は、ハンドルバー１０７で、調整可能状に、レバー１１３の低い位置に固定し、後回転コネクター１０９と水平の連結を呈する。
使用者は、力を入れて、レバー１１３を前後へ回転させ、レバー１１３を握り、回転フレーム１４７を回転させて、さまざまな方法へと回転させる運動作用を達成することができる。
ハンドルバー１０７とバックレストクッション１０３の角度関係は、ハンドルバー１０７に位置する挿入バー１１５と後回転コネクター１０９の選択挿入孔位置により調整する。
使用者は、ハンドルバー１０７を利用して押し引きし、バックレストクッション１０３を前回転コネクター１０５を回転軸として運動させる。
【００２２】
実施形態において、フィットネス器材１００は、調整式制御構造を備え、組立て部材１２９を利用し、回転フレーム１４７の回転運動をコントロールする(例えば、多角度、或いは多空間ツイスト、或いは回転、或いはその他運動など)。
調整式制御構造は、定位棒１１７を備え、高さをコントロールし、校正棒を挿入する。
これにより、回転フレーム１４７の移動ルートは、制限される。
例えば、校正棒は、回転軸上における回転運動(上下ツイストなど)を制限することができる。
【００２３】
定位棒１１７は、組立て部材１２９後端、或いは後端脇に調整可能状に連接することができる。
これにより、バックレストクッション１０３に、一定の高さの停止点、或いは広報へとツイストする際の最低位置を提供する。
実施形態においては、定位棒１１７は、回転でき、相対的に低い端は、孔１１９(４、５、６号などの孔)を利用し、後回転コネクター１０９と固定する。
各孔１１９は、定位棒１１７の相対的に高い端部分に、異なる高さにおいて対応する。
これにより、バックレストクッション１０３後端は、使用者が前方へとツイストし、湾曲し、或いはツイストを連動するスタート位置などに制限される。
【００２４】
図２は、本考案フィットネス器材の実施形態の立体分解図である。
バックレストサポート構造は、バックレストクッション１０３後に固定するバックレストサポートフレーム１３５、１３７を備える。
バックレストサポート構造はさらに、バックレストサポートフレーム１３５、１３７を通して、バックレストクッション１０３に固定するバックレスト支持棒１２７(或いはガイド棒)を備える。
バックレスト支持棒１２７は、その前端により、前回転コネクター１０５に回転式に連接し、バックレストクッション１０３にツイスト運動を提供する。
【００２５】
実施形態において、レバー１１３上端は、バックレスト支持棒１２７上(バックレストクッション１０３後方のそれぞれ左側と右側など)において、スライドできる。
例えば、レバー１１３の上端は、バックレスト支持棒１２７に沿ってスライドするスリーブベアリング１６１上に設置される。
よって、後回転コネクター１０９が回転すると、レバー１１３の上端はスライドし、或いはバックレスト支持棒１２７に沿って移動する。
これにより、レバー１１３は、バックレスト支持棒１２７に押す力を加え、回転運動を達成させることができる。
【００２６】
実施形態において、バックレスト組立て部材は、ピボット１５１(１個或いは多数個)を備え、横方向にレバー１１３の末端に連接する。
ピボット１５１は、組立て部材の後回転コネクター１０９上に連接することができる。
ハンドルバー１０７は、ピボット１５１に取外し式に固定することができる。
これにより、ハンドルバー１０７とバックレストクッション１０３とは、挿入ピン１１５をハンドルバー１０７に挿入するなどして、角度調整が可能な関係を形成する。
【００２７】
図１の回転フレーム１４７中の組立て部材１２９は、水平回転構造を備える。
突出棒１３１により回転式に、中心開口が上向きの接合構造１３３に挿入して設置する。
例えば、後サポートフレーム１２３の縦軸と垂直である。
突出棒１３１は、接合構造１３３の中心開口より、下方へと延伸して、図１に示すベースフレーム１４９に挿入して組立てられる。
突出棒１３１上には、前回転コネクター１０５を設置し、これにより組立て部材１２９は接合構造１３３周囲において回転することができる。
【００２８】
実施形態に基づき、組立て部材１２９は、位置螺接構造１３９を備える。
後回転コネクター１０９に近い位置などに設置する。
位置螺接構造１３９は、相対する孔１１９により、定位棒１１７の高さを調整して定位することができる。
定位棒１１７の低端は、高度挿入棒１４１を通して、孔１１９の一つを選択し、螺接構造１３９上に固定する。
【００２９】
調整コントロール可能な器材は、高度をコントロールできる定位棒１１７と定位ピン１１１を備える。
実施形態では、定位ピン１１１は、図１に示すベースフレーム１４９と回転フレーム１４７との間の回転位置に挿入される。
例えば、組立て部材１２９は、上螺孔を備える。
ベースフレーム１４９は、それと相対する下螺孔１４５を備える。
定位ピン１１１を２個の孔に挿入すると、バックレストクッション１０３とイスクッション１０１は、使用者が上下に回転運動可能となり、左右にツイストはできない。
もし、定位ピン１１１がない(取り外されたりなどして)なら、バックレストクッション１０３とイスクッション１０１とは、運動に必要なツイスト移動を提供する。
バックレストクッション１０３とイスクッション１０１間には、十分な空間が必要で、これによりバックレストクッション１０３は回転することができる。
【００３０】
図３Ａ〜Ｃは、本考案の別種の実施形態の模式図である。
図に示すように、フィットネス器材３００は、イスクッション１０１のベースフレーム、バックレストクッションのバックレスト構成部材、回転コネクター１６５の組立て部材、ハンドルバー１０７のハンドル構成部材、高度定位棒１１７のコントロール部材、他の適用する構成部材などの図１に示すフィットネス器材１００に類似の構成部材を備える。
図３Ａ中の足台１６３は、フィットネス器材３００使用者の足を、一定の高度(床面から)に支えることができる。
【００３１】
図３Ｂに示すように、フィットネス器材３００のバックレスト構成部材は、バックレスト支持棒１２７を備える。
ハンドル構成部材は、バックレスト支持構造後端に調整可能状に固定するハンドルバー１０７を備える。
組立て部材は、回転コネクター１６５を備え、コネクター構成部材前端において、バックレスト支持棒１２７に回転可能状に連接する。
【００３２】
図３Ｃに示すように、バックレスト支持棒１２７は、バックレストクッション１０３の後面に固定でき、これによりハンドルバー１０７の押し引きにより、バックレストクッション１０３は回転運動を行う。
【００３３】
図４Ａ、Ｂは本考案第二実施形態の模式図である。
図に示すように、フィットネス器材４００は、イスクッション１０１を備えるベースフレーム、バックレストクッションを備えるバックレスト構成部材、回転コネクター１６５を備える組立て部材、ハンドルバー１０７を備えるハンドルバー構成部材、高度定位棒１１７を備えるコントロール構成部材、他の適用する構成部材など図１に示すフィットネス器材１００に類似の構成部材を備える。
図４Ａに示す、足台１６３は、選択的に使用する。
ベースフレームが充分に低く、使用者が足を床面に下ろして運動できる時には、使用する必要はない。
【００３４】
フィットネス器材４００のハンドル構成部材は、バックレストクッション１０３前方に設置するハンドルプルベルト１７１を備える。
これにより、使用者は手で押し引きすることで、バックレスト構成部材を移動させることができる。
【００３５】
図４Ｂに示すように、回転コネクター１６５は、バックレスト構成部材前端において、バックレスト支持棒１２７に回転状に連接する。
ハンドルプルベルト１７１は、バックレスト支持棒１２７の背面に調整可能状に固定する。
【００３６】
図５Ａ、Ｂは、本考案第三実施形態の模式図である。
図に示すように、フィットネス器材５００は、イスクッション１０１を備えるベースフレーム、バックレストクッション構成部材、組立て部材、ハンドルバー構成部材、高度  定位棒１１７を備えるコントロール構成部材、他の適用する構成部材など図１に示すフィットネス器材１００に類似の構成部材を備える。
フィットネス器材５００のハンドル構成部材は、バックレストクッション構成部材前方に位置するハンドルプルベルト１７１を備える。
実施形態では、バックレスト構成部材は、水平バックレスト棒１６７、縦方向バックレスト棒１６９を備える。
【００３７】
図５Ｂに示すように、組立て部材は、回転コネクター１６５を備え、バックレスト構成部材前端の縦方向バックレスト棒１６９に回転状に連接し、回転運動を提供する。
【００３８】
図６Ａ〜Ｃに示すように、本考案第四実施形態の模式図である。
図に示すように、フィットネス器材６００は、イスクッション１０１を備えるベースフレーム、バックレストクッション１０３を備えるバックレスト構成部材、組立て部材、ハンドルバー、高度定位棒１１７を備えるコントロール構成部材、他の適用する構成部材など図１に示すフィットネス器材１００に類似の構成部材を備える。
【００３９】
図６Ａに示すように、ハンドル構成部のハンドルグリップ１７３の脇には、ハンドプル紐１５９を固定する。
ハンドプル紐１５９の反対側は、レバー１１３と連接する。
これにより、ハンドルグリップ１７３は、レバー１１３を引く力により、バックレスト構成部材を回転運動させることができる。
【００４０】
図６Ｂに示すように、バックレスト構成部材中のバックレストサポート構造は、バックレスト支持棒１２７に沿って移動するレバー１１３を備える。
実施形態においては、レバー１１３の後端には、キャスター１５３を備え、支持棒１２７に沿ってスライドする。
バックレスト支持構造は、プーリーシステムを備え、ハンドプル紐１５９の導引を通して回転する。
例えば、ハンドプル紐１５９は、プーリーシステムのローラー１５５、１５７の設置面を通して移動する。
【００４１】
図６Ｃに示すように、レバー１１３は、ハンドルグリップ１７３の引力を通して、バックレストクッションに施力する。
【００４２】
図７は、本考案の図１に示す構造の第一種応用実施形態を示す。
運動時には、バックレストクッション１０３とイスクッション１０１とは、縦方向お連接を呈する。
バックレストクッション１０３の始動位置(高端の最低点位置)は、図１に示す高度定位棒１１７を通して、異なる高度位置を形成する。
図７００Ａ〜７００Ｂに示すように、使用者は、腕の力、或いは腰の力を利用し、腹筋鍛錬運動を行うことができる。
【００４３】
図８は、本考案の図１に示す構造の第二種応用実施形態を示す。
バックレストクッション１０３は、イスクッション１０１に相対して、自由に回転できる。
図１に示す高度定位棒１１７を利用し、バックレストクッション１０３の始動高度を調整することができる。
図８００Ａ〜８００Ｂに示すように、使用者は、右回りの回転運動を行うことができる。
【００４４】
図９は、本考案の図１に示す構造の第三種応用実施形態を示す。
図９００Ａ〜９００Ｂに示すように、使用者は、左回りの回転運動と同時に腹筋鍛錬運動を行うことができる。
【００４５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００４６】
１００、３００、４００、５００、６００  フィットネス器材
１０１  イスクッション
１０３  バックレストクッション
１０５  前回転コネクター
１０７  ハンドルバー
１０９  後回転コネクター
１１１  定位ピン
１１３  レバー
１１５  挿入バー
１１９  孔
１２１  前サポートフレーム
１２３  後サポートフレーム
１２７  バックレスト支持棒
１２９  組立て部材
１３１  突出棒
１３３  接合構造
１３５、１３７  バックレストサポートフレーム
１３９  螺接構造
１４１  高度挿入棒
１４５  下螺孔
１４７  回転フレーム
１４９  ベースフレーム
１５１  ピボット
１５３  キャスター
１５５、１５７  ローラー
１５９  ハンドプル紐
１６１  スリーブベアリング
１６３  足台
１６５  回転コネクター
１６７  水平バックレスト棒
１６９  縦方向バックレスト棒
１７１  ハンドルプルベルト
１７３  ハンドルグリップ
【図１】
0003191279.tif 000003
【図２】
0003191279.tif 000004
【図３Ａ】
0003191279.tif 000005
【図３Ｂ】
0003191279.tif 000006
【図３Ｃ】
0003191279.tif 000007
【図４Ａ】
0003191279.tif 000008
【図４Ｂ】
0003191279.tif 000009
【図５Ａ】
0003191279.tif 000010
【図５Ｂ】
0003191279.tif 000011
【図６Ａ】
0003191279.tif 000012
【図６Ｂ】
0003191279.tif 000013
【図６Ｃ】
0003191279.tif 000014
【図７】
0003191279.tif 000015
【図８】
0003191279.tif 000016
【図９】
0003191279.tif 000017
【手続補正書】
【提出日】平成26年4月15日(2014.4.15)
【手続補正１】
【補正対象書類名】明細書
【補正対象項目名】全文
【補正方法】変更
【補正の内容】
【考案の詳細な説明】
【技術分野】
【０００１】
本考案はフィットネス器材に関し、特に身体を回転し、使用者の腹部筋肉を鍛錬できるフィットネス器材に関する。
【背景技術】
【０００２】
本考案は２０１３年６月１０日に申請した特許文献１(腹部フィットネス器材)の改良である。
特許文献１は、２０１３年３月１２日に申請した特許文献２(腹部フィットネス器材)の改良である。
本考案は、上記した２案を、引用する。
【０００３】
健康問題の多くは、運動不足が原因だとたくさんの人が認識している。
そのため、運動器材は流行し、その市場は安定して成長している。
典型的な運動器材の多くは、腹部鍛錬など身体の特定の部分に集中し、腹部筋肉の鍛錬を目的としている。
【０００４】
従来の腹部鍛錬器材は、座った姿勢の変化を基礎として設計されている。
効果的な腹部鍛錬器材は、腰部、足部などの身体の異なる部位の筋肉を一緒に活動させるべきである。
そのため、従来のフィットネス器材でも、身体のさまざまな部位を鍛錬するものも見られ始めたが、これら多用途のフィットネス器材は重く高価である。
【０００５】
さらに、これら運動器材では通常は、使用者は単一のストレッチしか行うことができない。
よって、従来の腹部鍛錬器材の使用者が、多種の部位の筋肉のストレッチを行おうとすれば、不経済である。
本考案は、従来のフィットネス器材の上記した欠点に鑑みてなされたものである。
【先行技術文献】
【特許文献】
【０００６】
【特許文献１】米国特許申請１３/９１４，５２２号
【特許文献２】米国特許申請１３/７９７，３９３号
【考案の概要】
【考案が解決しようとする課題】
【０００７】
本考案が解決しようとする課題は、身体をひねることで、腹部筋肉を鍛錬できる、ツイスト可能な回転運動器材などのフィットネス器材を提供することである。
【課題を解決するための手段】
【０００８】
上記課題を解決するため、本考案は下記のフィットネス器材を提供する。
フィットネス器材は、身体を回転ツイストさせることで腹部の筋肉を鍛錬できるツイスト可能な回転フィットネスマシンなどで、
床面における支持を提供するベースフレームを備え、
組立て部材はベースフレーム上に回転状に設置され、
バックレスト構成部材は、１個或いは多数の回転コネクターを通して、該組立て部材に連接し、これにより該ベースフレームに対して回転移動でき、
ハンドル構成部材は、該バックレスト構成部材に調整可能状に固定し、これにより使用者はイスクッション上に腰掛け、バックレスト構成部材を通して回転移動を行うことができ、
該ベースフレームは、前後フレーム間にイスクッションを設置し、
該組立て部材は、回転コネクターを備え、少なくとも１個の回転コネクターは、ピボットにおいて回転可能な回転構造で、該回転コネクターにより、少なくとも１個のピボットは同時に回転移動し、
該バックレスト構成部材は、バックレストクッション、及びその後ろに固定する支持構造を備え、該バックレストクッションは、前端と後端を備え、該バックレストクッションを支持する構造は、該回転コネクターの前端と連接し、該バックレストクッションに回転移動を提供することができる。
【考案の効果】
【０００９】
本考案のフィットネス器材は、身体を回転し、使用者の腹部筋肉を鍛錬できる。
【図面の簡単な説明】
【００１０】
【図１】本考案フィットネス器材の実施形態立体図である。
【図２】本考案フィットネス器材の実施形態立体分解図である。
【図３Ａ】本考案第一実施形態の模式図である。
【図３Ｂ】本考案第一実施形態の模式図である。
【図３Ｃ】本考案第一実施形態の模式図である。
【図４Ａ】本考案第二実施形態の模式図である。
【図４Ｂ】本考案第二実施形態の模式図である。
【図５Ａ】本考案第三実施形態の模式図である。
【図５Ｂ】本考案第三実施形態の模式図である。
【図６Ａ】本考案第四実施形態の模式図である。
【図６Ｂ】本考案第四実施形態の模式図である。
【図６Ｃ】本考案第四実施形態の模式図である。
【図７】本考案第一使用実施形態の立体模式図である。
【図８】本考案第二使用実施形態の立体模式図である。
【図９】本考案第三使用実施形態の立体模式図である。
【考案を実施するための形態】
【００１１】
以下に図面を参照しながら本考案を実施するための最良の形態について詳細に説明する。
以下の図面に関する説明においては、外観、構成部材名称、構成部材間の連接など具体的なディテールを記載するが、本考案が属する領域の技術人員は、これら特定の詳細な描写がなくとも実施可能である。
本考案は、公知の構成部材或いは方法について、不要な混乱を回避するため、詳細な説明を行わない。
さらに、図１、２、３などの実施形態は、異なる描写と見なすべきであるため、記載される具体的なディテールは、一実施形態にすぎず、簡易な修正や変化もすべて、本考案の構想と範囲に含まれる。
【００１２】
説明中の一実施形態とは、実施形態における特別な特徴、構造、特性を示す。
実施形態において、構成部材の各部分の説明は、相同の実施形態を追及する必要はない。
【００１３】
本考案フィットネス器材の実施形態立体図である図１に示すように、フィットネス器材１００は、回転フレーム１４７を備え、ベースフレーム１４９上に、回転可能状に設置する。
これにより、回転フレーム１４７は、設置位置において、回転或いはツイストすることができ、使用者は上下左右にツイストするなど多種の回転ツイスト運動を行うことができる。
【００１４】
ベースフレーム１４９は、回転フレーム１４７が移動時に、床面で支える。
実施形態においては、ベースフレーム１４９は前側と後側に分かれる。
イスクッション１０１は、ベースフレーム１４９の頂点部に固定し、しかもベースフレーム１４９の前後の間に位置する。
【００１５】
イスクッション１０１は、昇降させられ、使用者をフィットネス器材１００上で支えることができる。
ベースフレーム１４９は、前側に位置する前サポートフレーム１２１、後側に位置する後サポートフレーム１２３を備える。
ベースフレーム１４９は、高さを調整できるため、使用者はイスクッション１０１に座っている時、足に適した高さに調整できる。
例えば、前サポートフレーム１２１は、比較的低くし、使用者がイスクッション１０１に座り運動する時には、両足は床面に接する。
別に、取外し式の足サポートフレームを、前サポートフレーム１２１上に固定することもできる。
【００１６】
回転フレーム１４７は、組立て部材１２９(図２参照)を備え、回転式にベースフレーム１４９に設置する後サポートフレーム１２３上(或いはベースフレーム１４９の後端)に設置する。
これにより、回転フレーム１４７は、縦方向に延伸し(揃えるなど)、或いはベースフレーム１４９の縦方向と一定の角度関係を構成する。
組立て部材１２９は、１個或いは多数の回転コネクターを備える。
各回転コネクターは、少なくとも１個の回転軸のサポートを可動状に提供し、回転可能な回転コネクターは、２個以上の回転軸に関連する回転構造(ピボット或いは回転棒など)を備え、回転軸を支えて回転させる。
【００１７】
例えば、組立て部材１２９は、前回転コネクター１０５と後回転コネクター１０９を備え、回転フレーム１４７に回転移動を提供する。
前回転コネクター１０５は、回転可能なシャフトジョイントで、これにより回転フレーム１４７は、上下、左右に回転することができる。
よって、フィットネス器材１００の使用者は、ベースフレーム１４９のイスクッション１０１上に座り、フィットネス運動を行うことができ、回転フレーム１４７の回転運動を利用して、上半身を湾曲、或いはツイストすることができる。
【００１８】
実施形態では、回転フレーム１４７は、バックレスト構成部材を備え、前回転コネクター１０５、後回転コネクター１０９上などの組立て部材１２９に回転式に連結する。
バックレスト構成部材は、ベースフレーム１４９の縦方向に沿って、回転運動を行うことができる。
回転運動は、同時回転、或いは少なくとも２個の軸を中心とした上下(垂直)或いは左右(平行)回転を含む。
【００１９】
バックレスト構成部材は、バックレストサポート構造と、その上に固定するバックレストクッション１０３を備える。
バックレストクッション１０３は、前後端を備える。
バックレストサポート構造は、回転式にシャフトジョイントを利用し、バックレストクッション１０３の前端において、組立て部材１２９と連接する。
これにより、バックレストクッション１０３の回転移動を支持することができる。
実施形態では、バックレストサポート構造は、レバー１１３を備え、後回転コネクター１０９を利用し、組立て部材１２９と回転連接し、上下の回転移動を提供する。
バックレストクッション１０３は、使用者がイスクッション１０１に座り、回転フレーム１４７を利用して、湾曲或いはツイストを行う時の背面部にサポートを提供する。
【００２０】
実施形態では、押す/引く力を、バックレストクッション１０３と回転フレーム１４７のレバー１１３を通して加える。
例えば、レバー１１３の上端は、バックレストクッション１０３の上端に相対し、後回転コネクター１０９を利用し、組立て部材１２９と相互に連接する。
レバー１１３は、後回転コネクター１０９により回転し、レバー１１３の後端(或いは上端)を通して、バックレストクッション１０３を押し、或いは引く。
【００２１】
回転フレーム１４７は、バックレストサポート構造に固定するハンドル構成部材を備える。
これにより、使用者は、引いて、回転フレーム１４７或いはバックレストクッション１０３の回転移動を行う。
例えば、ハンドル構成部材は、ハンドルバー１０７で、調整可能状に、レバー１１３の低い位置に固定し、後回転コネクター１０９と水平の連結を呈する。
使用者は、力を入れて、レバー１１３を前後へ回転させ、レバー１１３を握り、回転フレーム１４７を回転させて、さまざまな方法へと回転させる運動作用を達成することができる。
ハンドルバー１０７とバックレストクッション１０３の角度関係は、ハンドルバー１０７に位置する挿入バー１１５と後回転コネクター１０９の選択挿入孔位置により調整する。
使用者は、ハンドルバー１０７を利用して押し引きし、バックレストクッション１０３を前回転コネクター１０５を回転軸として運動させる。
【００２２】
実施形態において、フィットネス器材１００は、調整式制御構造を備え、組立て部材１２９を利用し、回転フレーム１４７の回転運動をコントロールする(例えば、多角度、或いは多空間ツイスト、或いは回転、或いはその他運動など)。
調整式制御構造は、定位棒１１７を備え、高さをコントロールし、校正棒を挿入する。  これにより、回転フレーム１４７の移動ルートは、制限される。
例えば、校正棒は、回転軸上における回転運動(上下ツイストなど)を制限することができる。
【００２３】
定位棒１１７は、組立て部材１２９後端、或いは後端脇に調整可能状に連接することができる。
これにより、バックレストクッション１０３に、一定の高さの停止点、或いは広報へとツイストする際の最低位置を提供する。
実施形態においては、定位棒１１７は、回転でき、相対的に低い端は、孔１１９(４、５、６号などの孔)を利用し、後回転コネクター１０９と固定する。
各孔１１９は、定位棒１１７の相対的に高い端部分に、異なる高さにおいて対応する。
これにより、バックレストクッション１０３後端は、使用者が前方へとツイストし、湾曲し、或いはツイストを連動するスタート位置などに制限される。
【００２４】
図２は、本考案フィットネス器材の実施形態の立体分解図である。
バックレストサポート構造は、バックレストクッション１０３後に固定するバックレストサポートフレーム１３５、１３７を備える。
バックレストサポート構造はさらに、バックレストサポートフレーム１３５、１３７を通して、バックレストクッション１０３に固定するバックレスト支持棒１２７(或いはガイド棒)を備える。
バックレスト支持棒１２７は、その前端により、前回転コネクター１０５に回転式に連接し、バックレストクッション１０３にツイスト運動を提供する。
【００２５】
実施形態において、レバー１１３上端は、バックレスト支持棒１２７上(バックレストクッション１０３後方のそれぞれ左側と右側など)において、スライドできる。
例えば、レバー１１３の上端は、バックレスト支持棒１２７に沿ってスライドするスリーブベアリング１６１上に設置される。
よって、後回転コネクター１０９が回転すると、レバー１１３の上端はスライドし、或いはバックレスト支持棒１２７に沿って移動する。
これにより、レバー１１３は、バックレスト支持棒１２７に押す力を加え、回転運動を達成させることができる。
【００２６】
実施形態において、バックレスト組立て部材は、ピボット１５１(１個或いは多数個)を備え、横方向にレバー１１３の末端に連接する。
ピボット１５１は、組立て部材の後回転コネクター１０９上に連接することができる。
ハンドルバー１０７は、ピボット１５１に取外し式に固定することができる。
これにより、ハンドルバー１０７とバックレストクッション１０３とは、挿入ピン１１５をハンドルバー１０７に挿入するなどして、角度調整が可能な関係を形成する。
【００２７】
図１の回転フレーム１４７中の組立て部材１２９は、水平回転構造を備える。
突出棒１３１により回転式に、中心開口が上向きの接合構造１３３に挿入して設置する。
例えば、後サポートフレーム１２３の縦軸と垂直である。
突出棒１３１は、接合構造１３３の中心開口より、下方へと延伸して、図１に示すベースフレーム１４９に挿入して組立てられる。
突出棒１３１上には、前回転コネクター１０５を設置し、これにより組立て部材１２９は接合構造１３３周囲において回転することができる。
【００２８】
実施形態に基づき、組立て部材１２９は、位置螺接構造１３９を備える。
後回転コネクター１０９に近い位置などに設置する。
位置螺接構造１３９は、相対する孔１１９により、定位棒１１７の高さを調整して定位することができる。
定位棒１１７の低端は、高度挿入棒１４１を通して、孔１１９の一つを選択し、螺接構造１３９上に固定する。
【００２９】
調整コントロール可能な器材は、高度をコントロールできる定位棒１１７と定位ピン１１１を備える。
実施形態では、定位ピン１１１は、図１に示すベースフレーム１４９と回転フレーム１４７との間の回転位置に挿入される。
例えば、組立て部材１２９は、上螺孔を備える。
ベースフレーム１４９は、それと相対する下螺孔１４５を備える。
定位ピン１１１を２個の孔に挿入すると、バックレストクッション１０３とイスクッション１０１は、使用者が上下に回転運動可能となり、左右にツイストはできない。
もし、定位ピン１１１がない(取り外されたりなどして)なら、バックレストクッション１０３とイスクッション１０１とは、運動に必要なツイスト移動を提供する。
バックレストクッション１０３とイスクッション１０１間には、十分な空間が必要で、これによりバックレストクッション１０３は回転することができる。
【００３０】
図３Ａ〜Ｃは、本考案の別種の実施形態の模式図である。
図に示すように、フィットネス器材３００は、イスクッション１０１のベースフレーム、バックレストクッションのバックレスト構成部材、回転コネクター１６５の組立て部材、ハンドルバー１０７のハンドル構成部材、高度定位棒１１７のコントロール部材、他の適用する構成部材などの図１に示すフィットネス器材１００に類似の構成部材を備える。
図３Ａ中の足台１６３は、フィットネス器材３００使用者の足を、一定の高度(床面から)に支えることができる。
【００３１】
図３Ｂに示すように、フィットネス器材３００のバックレスト構成部材は、バックレスト支持棒１２７を備える。
ハンドル構成部材は、支持構造後端に調整可能状に固定するハンドルバー１０７を備える。
組立て部材は、回転コネクター１６５を備え、コネクター構成部材前端において、バックレスト支持棒１２７に回転可能状に連接する。
【００３２】
図３Ｃに示すように、バックレスト支持棒１２７は、バックレストクッション１０３の後面に固定でき、これによりハンドルバー１０７の押し引きにより、バックレストクッション１０３は回転運動を行う。
【００３３】
図４Ａ、Ｂは本考案第二実施形態の模式図である。
図に示すように、フィットネス器材４００は、イスクッション１０１を備えるベースフレーム、バックレストクッションを備えるバックレスト構成部材、回転コネクター１６５を備える組立て部材、ハンドルバー１０７を備えるハンドルバー構成部材、高度定位棒１１７を備えるコントロール構成部材、他の適用する構成部材など図１に示すフィットネス器材１００に類似の構成部材を備える。
図４Ａに示す、足台１６３は、選択的に使用する。
ベースフレームが充分に低く、使用者が足を床面に下ろして運動できる時には、使用する必要はない。
【００３４】
フィットネス器材４００のハンドル構成部材は、バックレストクッション１０３前方に設置するハンドルプルベルト１７１を備える。
これにより、使用者は手で押し引きすることで、バックレスト構成部材を移動させることができる。
【００３５】
図４Ｂに示すように、回転コネクター１６５は、バックレスト構成部材前端において、バックレスト支持棒１２７に回転状に連接する。
ハンドルプルベルト１７１は、バックレスト支持棒１２７の背面に調整可能状に固定する。
【００３６】
図５Ａ、Ｂは、本考案第三実施形態の模式図である。
図に示すように、フィットネス器材５００は、イスクッション１０１を備えるベースフレーム、バックレスト構成部材、組立て部材、ハンドルバー構成部材、高度定位棒１１７を備えるコントロール構成部材、他の適用する構成部材など図１に示すフィットネス器材１００に類似の構成部材を備える。
フィットネス器材５００のハンドル構成部材は、バックレスト構成部材前方に位置するハンドルプルベルト１７１を備える。
実施形態では、バックレスト構成部材は、水平バックレスト棒１６７、縦方向バックレスト棒１６９を備える。
【００３７】
図５Ｂに示すように、組立て部材は、回転コネクター１６５を備え、バックレスト構成部材前端の縦方向バックレスト棒１６９に回転状に連接し、回転運動を提供する。
【００３８】
図６Ａ〜Ｃに示すように、本考案第四実施形態の模式図である。
図に示すように、フィットネス器材６００は、イスクッション１０１を備えるベースフレーム、バックレストクッション１０３を備えるバックレスト構成部材、組立て部材、ハンドルバー、高度定位棒１１７を備えるコントロール構成部材、他の適用する構成部材など図１に示すフィットネス器材１００に類似の構成部材を備える。
【００３９】
図６Ａに示すように、ハンドル構成部のハンドルグリップ１７３の脇には、ハンドプル紐１５９を固定する。
ハンドプル紐１５９の反対側は、レバー１１３と連接する。
これにより、ハンドルグリップ１７３は、レバー１１３を引く力により、バックレスト構成部材を回転運動させることができる。
【００４０】
図６Ｂに示すように、バックレスト構成部材中のバックレストサポート構造は、バックレスト支持棒１２７に沿って移動するレバー１１３を備える。
実施形態においては、レバー１１３の後端には、キャスター１５３を備え、支持棒１２７に沿ってスライドする。
支持構造は、プーリーシステムを備え、ハンドプル紐１５９の導引を通して回転する。
例えば、ハンドプル紐１５９は、プーリーシステムのローラー１５５、１５７の設置面を通して移動する。
【００４１】
図６Ｃに示すように、レバー１１３は、ハンドルグリップ１７３の引力を通して、バックレストクッションに施力する。
【００４２】
図７は、本考案の図１に示す構造の第一種応用実施形態を示す。
運動時には、バックレストクッション１０３とイスクッション１０１とは、縦方向お連接を呈する。
バックレストクッション１０３の始動位置(高端の最低点位置)は、図１に示す高度定位棒１１７を通して、異なる高度位置を形成する。
図７００Ａ〜７００Ｂに示すように、使用者は、腕の力、或いは腰の力を利用し、腹筋鍛錬運動を行うことができる。
【００４３】
図８は、本考案の図１に示す構造の第二種応用実施形態を示す。
バックレストクッション１０３は、イスクッション１０１に相対して、自由に回転できる。
図１に示す高度定位棒１１７を利用し、バックレストクッション１０３の始動高度を調整することができる。
図８００Ａ〜８００Ｂに示すように、使用者は、右回りの回転運動を行うことができる。
【００４４】
図９は、本考案の図１に示す構造の第三種応用実施形態を示す。
図９００Ａ〜９００Ｂに示すように、使用者は、左回りの回転運動と同時に腹筋鍛錬運動を行うことができる。
【００４５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００４６】
１００、３００、４００、５００、６００  フィットネス器材
１０１  イスクッション
１０３  バックレストクッション
１０５  前回転コネクター
１０７  ハンドルバー
１０９  後回転コネクター
１１１  定位ピン
１１３  レバー
１１５  挿入バー
１１９  孔
１２１  前サポートフレーム
１２３  後サポートフレーム
１２７  バックレスト支持棒
１２９  組立て部材
１３１  突出棒
１３３  接合構造
１３５、１３７  バックレストサポートフレーム
１３９  螺接構造
１４１  高度挿入棒
１４５  下螺孔
１４７  回転フレーム
１４９  ベースフレーム
１５１  ピボット
１５３  キャスター
１５５、１５７  ローラー
１５９  ハンドプル紐
１６１  スリーブベアリング
１６３  足台
１６５  回転コネクター
１６７  水平バックレスト棒
１６９  縦方向バックレスト棒
１７１  ハンドルプルベルト
１７３  ハンドルグリップ
【手続補正２】
【補正対象書類名】実用新案登録請求の範囲
【補正対象項目名】全文
【補正方法】変更
【補正の内容】
【実用新案登録請求の範囲】
【請求項１】
フィットネス器材は、ベースフレーム、組立て部材、バックレスト構成部材、ハンドル構成部材を備え、
前記ベースフレームは、床面におけるサポートを提供し、イスクッションは、前記ベースフレームの前後フレームの間に設置し、
前記組立て部材は、後ベースフレームに回転可能状に設置し、前記組立て部材は、１個或いは多数の回転コネクターを備え、その内少なくとも２個は、回転軸において回転する回転構造で、これにより回転コネクターは、同時に少なくとも２個の軸心により回転運動を行い、
前記バックレスト構成部材は、１個或いは多数の回転コネクターを通して、前記組立て部材に連接し、これにより前記ベースフレームに対して回転移動が可能で、前記バックレスト構成部材は、バックレストクッションを備え、その後の支持構造に固定し、前記バックレストクッションは、前端と後端を備え、
前記支持構造は、回転コネクターの前端とつながり、前記バックレストクッションに回転移動を提供し、
前記ハンドル構成部材は、前記バックレスト構成部材上に調整可能状に固定し、これにより使用者は、前記バックレスト構成部材を通して、イスクッション上で、回転移動が可能であることを特徴とするフィットネス器材。
【請求項２】
前記回転運動は、水平を軸心とした上下回転と縦軸を軸心とした左右回転を含むことを特徴とする請求項１に記載のフィットネス器材。
【請求項３】
前記回転コネクターの後回転コネクターとバックレスト構成部材のレバーは、前記レバーの前端により、後回転コネクターに回転可能状に連接し、前記レバーの後端は、支持構造を押上げ、しかも前記レバーの後端は、前記支持構造に沿って移動し、水平軸の回転移動を生じることを特徴とする請求項２に記載のフィットネス器材。
【請求項４】
前記支持構造は、レール棒を備え、及びキャスターを後端に固定するレバーを備え、レール棒に沿って移動することができることを特徴とする請求項３に記載のフィットネス器材。
【請求項５】
前記支持構造は、ガイド棒、及びスリーブベアリングを後端に固定するレバーを備え、ガイド棒に沿って移動することができることを特徴とする請求項３に記載のフィットネス器材。
【請求項６】
前記ハンドル構成部材は、ハンドルバーを備え、レバーの後シャフトジョイントに、回転可能状に水平に固定することを特徴とする請求項３に記載のフィットネス器材。
【請求項７】
前記バックレスト構成部材は、ピボットを備え、レバーの後端に取外し可能状に固定し、しかも前記ピボットは、組立て部材の後回転コネクターに回転状に連接し、前記ハンドルバーは、ピボットの末端に調整式に固定し、これにより前記ハンドルバーと前記バックレストクッションに各自の関連角度を提供することを特徴とする請求項６に記載のフィットネス器材。
【請求項８】
前記支持構造は、１個或いは多数のプーリーと相互に連接し、
前記ハンドル構成部材は、ハンドプル紐を備えるハンドルバーを備え、前記ハンドプル紐は、プーリーを通して移動でき、前記各ハンドプル紐は、レバーに固定し、前記レバーが、前記ハンドルバーを通して低擁する引力は、前記ハンドプル紐クッションを引くことができることを特徴とする請求項３に記載のフィットネス器材。
【請求項９】
前記ハンドル構成部材のハンドルバーは、前記支持構造の後端に調整可能状に水平に固定することを特徴とする請求項２に記載のフィットネス器材。
【請求項１０】
前記ハンドル構成部材は、前記バックレストクッション前方に設置するハンドプル紐を備え、前記ハンドプル紐は、前記支持構造に、調整可能状に固定することを特徴とする請求項２に記載のフィットネス器材。
【請求項１１】
前記フィットネス器材はさらに、調整可能なコントロール構造を備え、回転運動を制限し、
前記調整可能なコントロール構造は、前記組立て部材に調整可能状に固定する高度制御部品を備え、これにより前記バックレストクッション後端に高度停止の支持を提供することを特徴とする請求項１に記載のフィットネス器材。
【請求項１２】
前記調整可能なコントロール構造はさらに、定位棒を備え、１個の回転軸方向の回転を制限することを特徴とする請求項１１に記載のフィットネス器材。
【請求項１３】
前記組立て部材は、上螺孔を備え、
前記ベースフレームは、下螺孔を備え、
前記定位棒を、前記上、下螺孔に挿入し、前記イスクッションと前記バックレストクッションの対応回転位置をロックすることを特徴とする請求項１２に記載のフィットネス器材。
【請求項１４】
前記組立て部材は、位置螺接構造を備え、
前記高度制御部品は、高端と低端を備える定位棒を備え、前記定位棒は、低端を利用し、前記位置螺接構造上に回転状に固定し、高端は高度を調整でき、相対回転位置に対応し、これにより前記バックレストクッション停止時の高度のサポートを提供することを特徴とする請求項１１に記載のフィットネス器材。
【請求項１５】
前記位置螺接構造は、挿入設置位置を調整可能な周縁間隔孔を備え、
前記高度制御部品は、挿入棒を、その内の１個の孔に挿入し、前記定位棒と前記位置螺接構造を定位することを特徴とする請求項１４に記載のフィットネス器材。
【請求項１６】
前記少なくとも２個の回転構造は、水平回転構造を備え、その上には、突出棒と中心開口が上向きの接合構造を備え、
前記接合構造は、前記ベースフレーム上に固定し、
前記突出棒は延伸して、中心開口に進入し、
これにより、前記組立て部材は、前記ベースフレーム上において、左右に回転できることを特徴とする請求項１に記載のフィットネス器材。
【請求項１７】
フィットネス器材は、ベースフレーム、回転フレーム、ハンドル構成部材を備え、
前記ベースフレームは、床面における支持を提供し、前記ベースフレームは、縦軸において前側と後側に分かれ、イスクッションは、前記ベースフレームの頂点部に固定し、
前記回転フレームは、前記後ベースフレーム上に設置し、バックレスト構成部材、組立て部材、ハンドル構成部材を備え、前記バックレスト構成部材は、前記ベースフレーム上において回転移動が可能で、
前記バックレスト構成部材は、支持構造に固定するバックレストクッションを備え、前記支持構造は、前記組立て部材において回転状に連接し、
前記組立て部材は、少なくとも１個の回転連結を備え、前記回転連結は、回転コネクターを備え、前記ベースフレームは、前記回転コネクターを通して、前記組立て部材と接合し、これによりイスクッションとバックレストクッションの縦方向角度は回転可能で、
前記ハンドル構成部材は、前記支持構造に固定し、使用者の押し引きする力は、前記バックレストクッションを回転移動させられ、
前記バックレストクッションが回転移動する時、その角度の関係で使用者はツイスト効果を生じることを特徴とするフィットネス器材。